【手続補正書】
【提出日】平成15年8月22日(2003.8.22)
【手続補正１】
【補正対象書類名】明細書
【補正対象項目名】発明の名称
【補正方法】変更
【補正の内容】
【発明の名称】ワンウェイクラッチの製造方法及び製造装置
【手続補正２】
【補正対象書類名】明細書
【補正対象項目名】特許請求の範囲
【補正方法】変更
【補正の内容】
【特許請求の範囲】
【請求項１】
複数のスプラグと、該スプラグを挿入するスプラグ挿入窓が長手方向に亘って形成された可撓性のリボンスプリングと、該リボンスプリングを内周面に巻回し、前記リボンスプリングに挿入されたスプラグの外周側端部が挿入可能なスプラグ挿入窓を有する外側保持器と、該外側保持器のリボンスプリングの内周側に、前記リボンスプリングに挿入されたスプラグの内周側端部が挿入可能なスプラグ挿入窓を有する内側保持器と、を備えて構成されるワンウェイクラッチの製造方法において、
略円柱形状に形成され、前記スプラグを収容可能に放射方向外側に開口したスプラグポケットを備えたボスを用い、
前記ボスの各スプラグポケットに、スプラグを順次挿入し、
前記リボンスプリングをボスの外周に沿って巻回し、
前記ボスのスプラグポケットにスプラグ挿入窓の位相を合わせた前記外側保持器を、前記ボスのリボンスプリングの外周側に装着した後、ボスを所定の回転数で連続回転させることにより、遠心力で各スプラグをスプラグポケット内からボスの放射方向外側に移動させ、前記リボンスプリング及び外側保持器のスプラグ挿入窓にそれぞれ嵌挿し、
前記ボスのスプラグポケットにスプラグ挿入窓の位相を合わせた前記内側保持器を、前記リボンスプリングに対して相対回転させつつ、前記ボスのリボンスプリング内側に装着して、内側保持器のスプラグ挿入窓にスプラグを嵌挿することを特徴とするワンウェイクラッチの製造方法。
【請求項２】
前記ボスは、前記スプラグポケットと、前記リボンスプリングのＶ字状折曲部に係合するＶ字状溝とが外周部に交互に複数配設され、
前記リボンスプリングは、前記ボスのＶ字状溝に前記リボンスプリングのＶ字状折曲部を係合しつつ、ボスの外周に沿って巻回されることを特徴とする請求項１に記載のワンウェイクラッチの製造方法。
【請求項３】
さらに、組み上がった前記ワンウェイクラッチを前記ボスから取り外して搬出することを特徴とする請求項１又は２に記載のワンウェイクラッチの製造方法。
【請求項４】
複数のスプラグと、該スプラグを挿入するスプラグ挿入窓が長手方向に亘って形成された可撓性のリボンスプリングと、該リボンスプリングを内周面に巻回し、前記リボンスプリングに挿入されたスプラグの外周側端部が挿入可能なスプラグ挿入窓を有する外側保持器と、該外側保持器のリボンスプリングの内周側に、前記リボンスプリングに挿入されたスプラグの内周側端部が挿入可能なスプラグ挿入窓を有する内側保持器と、を備えて構成したワンウェイクラッチの製造装置において、
略円柱形状に形成され、前記スプラグを収容可能に放射方向外側に開口したスプラグポケットを備えたボスと、
前記ボスの各スプラグポケットに、スプラグを順次挿入するスプラグ挿入手段と、
前記リボンスプリングをボスの外周に沿って巻回するリボンスプリング装着手段と、
前記ボスのスプラグポケットにスプラグ挿入窓の位相を合わせた前記外側保持器を、前記ボスのリボンスプリングの外周側に装着した後、ボスを所定の回転数で連続回転させることにより、遠心力で各スプラグをスプラグポケット内からボスの放射方向外側に移動させ、前記リボンスプリング及び外側保持器のスプラグ挿入窓にそれぞれ嵌挿する外側保持器装着手段と、
前記ボスのスプラグポケットにスプラグ挿入窓の位相を合わせた前記内側保持器を、前記リボンスプリングに対して相対回転させつつ、前記ボスのリボンスプリング内側に装着し、内側保持器のスプラグ挿入窓にスプラグを嵌挿させる内側保持器装着手段と、を備えたことを特徴とするワンウェイクラッチの製造装置。
【請求項５】
前記ボスは、前記スプラグポケットと、前記リボンスプリングのＶ字状折曲部に係合するＶ字状溝とが外周部に交互に複数配設され、
前記リボンスプリング装着手段は、前記ボスのＶ字状溝に前記リボンスプリングのＶ字状折曲部を係合しつつ、前記リボンスプリングをボスの外周に沿って巻回することを特徴とする請求項４に記載のワンウェイクラッチの製造装置。
【請求項６】
さらに、組み上がった前記ワンウェイクラッチを前記ボスから取り外して搬出するアンローダ手段を備えることを特徴とする請求項４又は５に記載のワンウェイクラッチの製造装置。
【手続補正３】
【補正対象書類名】明細書
【補正対象項目名】０００８
【補正方法】変更
【補正の内容】
【０００８】
上記目的達成のため、本発明は、複数のスプラグと、該スプラグを挿入するスプラグ挿入窓が長手方向に亘って形成された可撓性のリボンスプリングと、該リボンスプリングを内周面に巻回し、前記リボンスプリングに挿入されたスプラグの外周側端部が挿入可能なスプラグ挿入窓を有する外側保持器と、該外側保持器のリボンスプリングの内周側に、前記リボンスプリングに挿入されたスプラグの内周側端部が挿入可能なスプラグ挿入窓を有する内側保持器と、を備えて構成されるワンウェイクラッチの製造方法において、略円柱形状に形成され、前記スプラグを収容可能に放射方向外側に開口したスプラグポケットを備えたボスを用い、前記ボスの各スプラグポケットに、スプラグを順次挿入し、前記リボンスプリングをボスの外周に沿って巻回し、前記ボスのスプラグポケットにスプラグ挿入窓の位相を合わせた前記外側保持器を、前記ボスのリボンスプリングの外周側に装着した後、ボスを所定の回転数で連続回転させることにより、遠心力で各スプラグをスプラグポケット内からボスの放射方向外側に移動させ、前記リボンスプリング及び外側保持器のスプラグ挿入窓にそれぞれ嵌挿し、前記ボスのスプラグポケットにスプラグ挿入窓の位相を合わせた前記内側保持器を、前記リボンスプリングに対して相対回転させつつ、前記ボスのリボンスプリング内側に装着して、内側保持器のスプラグ挿入窓にスプラグを嵌挿するようにした。


【手続補正４】
【補正対象書類名】明細書
【補正対象項目名】０００９
【補正方法】変更
【補正の内容】
【０００９】
これにより、ボスのスプラグポケット内に挿入されたスプラグは、その外側に相対的に円周位置を合わせて配置されたリボンスプリング、及び外側保持器のスプラグ窓に対して、ボスの連続回転による遠心力によって、自ら挿入動作を起こして挿入される。以て、ボスの連続回転を制御することで、無理な力を掛けることなく、スプラグの挿入が円滑に行われる。
また、上記ワンウェイクラッチの製造方法において、前記ボスは、前記スプラグポケットと、前記リボンスプリングのＶ字状折曲部に係合するＶ字状溝とが外周部に交互に複数配設され、前記リボンスプリングは、前記ボスのＶ字状溝に前記リボンスプリングのＶ字状折曲部を係合しつつ、ボスの外周に沿って巻回されるように構成してもよい。
さらに、上記ワンウェイクラッチの製造方法において、組み上がった前記ワンウェイクラッチを前記ボスから取り外して搬出するように構成してもよい。
【手続補正５】
【補正対象書類名】明細書
【補正対象項目名】００１０
【補正方法】変更
【補正の内容】
【００１０】
また、前記目的達成のため、複数のスプラグと、該スプラグを挿入するスプラグ挿入窓が長手方向に亘って形成された可撓性のリボンスプリングと、該リボンスプリングを内周面に巻回し、前記リボンスプリングに挿入されたスプラグの外周側端部が挿入可能なスプラグ挿入窓を有する外側保持器と、該外側保持器のリボンスプリングの内周側に、前記リボンスプリングに挿入されたスプラグの内周側端部が挿入可能なスプラグ挿入窓を有する内側保持器と、を備えて構成したワンウェイクラッチの製造装置において、略円柱形状に形成され、前記スプラグを収容可能に放射方向外側に開口したスプラグポケットを備えたボスと、前記ボスの各スプラグポケットに、スプラグを順次挿入するスプラグ挿入手段と、前記リボンスプリングをボスの外周に沿って巻回するリボンスプリング装着手段と、前記ボスのスプラグポケットにスプラグ挿入窓の位相を合わせた前記外側保持器を、前記ボスのリボンスプリングの外周側に装着した後、ボスを所定の回転数で連続回転させることにより、遠心力で各スプラグをスプラグポケット内からボスの放射方向外側に移動させ、前記リボンスプリング及び外側保持器のスプラグ挿入窓にそれぞれ嵌挿する外側保持器装着手段と、前記ボスのスプラグポケットにスプラグ挿入窓の位相を合わせた前記内側保持器を、前記リボンスプリングに対して相対回転させつつ、前記ボスのリボンスプリング内側に装着し、内側保持器のスプラグ挿入窓にスプラグを嵌挿させる内側保持器装着手段と、を備えてワンウェイクラッチの製造装置を構成する。
また、上記ワンウェイクラッチの製造装置において、前記ボスは、前記スプラグポケットと、前記リボンスプリングのＶ字状折曲部に係合するＶ字状溝とが外周部に交互に複数配設され、前記リボンスプリング装着手段は、前記ボスのＶ字状溝に前記リボンスプリングのＶ字状折曲部を係合しつつ、前記リボンスプリングをボスの外周に沿って巻回するように構成してもよい。
さらに、上記ワンウェイクラッチの製造装置において、組み上がった前記ワンウェイクラッチを前記ボスから取り外して搬出するアンローダ手段を備えるように構成してもよい。
【手続補正６】
【補正対象書類名】明細書
【補正対象項目名】００６０
【補正方法】変更
【補正の内容】
【００６０】
そこで、上記回転トルクの変動を利用して内側保持器２４のスプラグ挿入窓３１内にスプラグ２１が挿入された状態か否かを検出する。また、この検出に先だって、内側保持器２４が正常にボス４４に挿入されたか否かを検出する。
即ち、制御装置４２は、回転規制された内側保持器２４の初期回転トルク、及び、スプラグ窓３１にスプラグ２１が嵌挿した瞬間（図１７（ｂ）に示す状態）の回転トルクの低下を捕らえて、内側保持器２４のスプラグ窓３１へのスプラグ２１の嵌挿を検出する。
以下に、内側保持器装着部８０における内側保持器２４の装着手段を図１８に示す制御フローチャートを用いて説明する。


【手続補正７】
【補正対象書類名】明細書
【補正対象項目名】００７０
【補正方法】変更
【補正の内容】
【００７０】
【発明の効果】
本発明によれば、略円柱形状に形成され、前記スプラグを収容可能に放射方向外側に開口したスプラグポケットを備えたボスを用い、前記ボスの各スプラグポケットに、スプラグを順次挿入し、前記リボンスプリングをボスの外周に沿って巻回し、前記ボスのスプラグポケットにスプラグ挿入窓の位相を合わせた前記外側保持器を、前記ボスのリボンスプリングの外周側に装着した後、ボスを所定の回転数で連続回転させることにより、遠心力で各スプラグをスプラグポケット内からボスの放射方向外側に移動させ、前記リボンスプリング及び外側保持器のスプラグ挿入窓にそれぞれ嵌挿し、前記ボスのスプラグポケットにスプラグ挿入窓の位相を合わせた前記内側保持器を、前記リボンスプリングに対して相対回転させつつ、前記ボスのリボンスプリング内側に装着して、内側保持器のスプラグ挿入窓にスプラグを嵌挿することで、熟練を要する手作業に頼ることなく、また、複雑な装置を用いることなくワンウェイクラッチの組立て作業を自動化することができ、ワンウェイクラッチの生産性及び品質安定性を大幅に向上させることができる。また、組立て作業の省力化を図ることができる。